(57)【要約】【課題】  複数の低雑音増幅器の間で十分なアイソレーションを確保することができる通信装置を提供する。【解決手段】  通信装置１の受信回路１２は、受信信号ＲＦr1を増幅する低雑音増幅器１３と受信信号ＲＦr2を増幅する低雑音増幅器１５とを備える。また、低雑音増幅器１３の入力側および出力側には整合回路１７，１９をそれぞれ接続すると共に、低雑音増幅器１５の入力側および出力側には整合回路１８，２０をそれぞれ接続する。そして、整合回路１７，１９のインピーダンスＺ11，Ｚ22は、受信信号ＲＦr1に対して正規化インピーダンスＺ0となり、受信信号ＲＦr2に対して短絡または開放となる。一方、整合回路１８，２０のインピーダンスＺ11′，Ｚ22′は、受信信号ＲＦr2に対して正規化インピーダンスＺ0となり、受信信号ＲＦr1に対して短絡または開放となる。【選択図】        図１
2009060511.tif 000002
【特許請求の範囲】
【請求項１】
複数の周波数帯域の信号を送信および受信する通信装置において、
互いに周波数帯域の異なる受信信号を増幅する複数の低雑音増幅器を備え、
該各低雑音増幅器の入力側と出力側とのうち少なくともいずれか一方には整合回路を接続して設け、
該各整合回路は、接続された低雑音増幅器が増幅する周波数帯域の受信信号に対してはインピーダンスがスミスチャート上の規格化インピーダンス位置付近にくるように設定し、他の周波数帯域の受信信号に対してはインピーダンスがスミスチャート上の短絡位置または開放位置付近にくるように設定し、前記複数の低雑音増幅器の間のアイソレーションを高める構成としたことを特徴とする通信装置。
【請求項２】
前記低雑音増幅器と整合回路との間は、差動線路を用いて接続する構成としてなる請求項１に記載の通信装置。
【発明の詳細な説明】
【技術分野】
【０００１】
本発明は、互いに異なる周波数帯域の受信信号を増幅する複数の低雑音増幅器を備えた通信装置に関する。
【背景技術】
【０００２】
一般に、通信装置として、例えば複数の周波数帯域の送信信号を送信すると共に、複数の周波数帯域の受信信号を受信するマルチバンドの携帯電話等が知られている（例えば、特許文献１参照）。このような携帯電話では、互いに異なる周波数帯域の受信信号を増幅する複数の低雑音増幅器を備えている。
【０００３】
また、通信装置として、アンテナ端子と送信端子との間に送信用の第１の増幅器を設けると共に、アンテナ端子と受信端子との間に受信用の第２の増幅器を設けた構成が知られている（例えば、特許文献２参照）。この場合、アンテナ端子と第１の増幅器との間に第１の移相線路を設けると共に、アンテナ端子と第２の増幅器との間に第２の移相線路を設けている。そして、第１の移相線路は、第１の増幅器の電源が遮断されたときには受信帯域における第１の増幅器の出力インピーダンスをほぼ開放状態にする。一方、第２の移相線路は、第２の増幅器の電源が遮断されたときには送信帯域における第２の増幅器の入力インピーダンスをほぼ開放状態にする。これにより、第１，第２の移相線路は、スイッチを用いることなく、アンテナ端子を送信端子および受信端子のうちいずれか一方に選択的に接続している。
【０００４】
【特許文献１】特開２００６−８０６７１号公報
【特許文献２】特開２００４−３４３５１７号公報
【発明の開示】
【発明が解決しようとする課題】
【０００５】
ところで、特許文献１による通信装置では、複数の低雑音増幅器は例えば単一の部品に内蔵されており、複数の低雑音増幅器が接近して配置されている。このため、複数の低雑音増幅器の間で十分なアイソレーションを確保することができず、非動作状態の低雑音増幅器の負荷変動が、動作状態の低雑音増幅器に対して利得抑制やＮＦ（Noise Figure）劣化を生じさせるという問題がある。
【０００６】
また、特許文献２には、アンテナ端子と送信端子および受信端子との間に第１，第２の移相線路を設ける構成が開示されている。しかし、特許文献２による通信装置では、送信端子および受信端子に対してアンテナ端子を選択的に接続する構成が開示されているだけであり、複数の低雑音増幅器間のアイソレーションについては何ら考慮されていない。
【０００７】
本発明は上述した従来技術の問題に鑑みなされたもので、本発明の目的は、複数の低雑音増幅器の間で十分なアイソレーションを確保することができる通信装置を提供することにある。
【課題を解決するための手段】
【０００８】
上述した課題を解決するために、請求項１の発明は、複数の周波数帯域の信号を送信および受信する通信装置において、互いに周波数帯域の異なる受信信号を増幅する複数の低雑音増幅器を備え、該各低雑音増幅器の入力側と出力側とのうち少なくともいずれか一方には整合回路を接続して設け、該各整合回路は、接続された低雑音増幅器が増幅する周波数帯域の受信信号に対してはインピーダンスがスミスチャート上の規格化インピーダンス位置付近にくるように設定し、他の周波数帯域の受信信号に対してはインピーダンスがスミスチャート上の短絡位置または開放位置付近にくるように設定し、前記複数の低雑音増幅器の間のアイソレーションを高める構成としたことを特徴としている。
【０００９】
請求項２の発明は、前記低雑音増幅器と整合回路との間は、差動線路を用いて接続する構成としている。
【発明の効果】
【００１０】
請求項１の発明によれば、各整合回路は、接続された低雑音増幅器が増幅する周波数帯域の受信信号に対してはインピーダンスがスミスチャート上の規格化インピーダンス位置付近にくるのに対し、他の周波数帯域の受信信号に対してはインピーダンスがスミスチャート上の短絡位置または開放位置付近にくる。これにより、動作状態の低雑音増幅器と非動作状態の低雑音増幅器との間のアイソレーションを確保することができる。よって、このアイソレーションの確保された状態では、非動作状態の低雑音増幅器に接続された負荷（例えば、デュプレクサや復調回路の負荷）が変動したときでも、この負荷変動が動作状態の低雑音増幅器に与える影響を軽減することができるから、動作状態の低雑音増幅器に対する利得抑制やＮＦ劣化を低減することができる。
【００１１】
請求項２の発明によれば、低雑音増幅器と整合回路との間は差動線路を用いて接続したから、外部から線路へのノイズの影響を少なくすることができる。これにより、隣合う低雑音増幅器間のクロストークノイズを低減することができるから、動作状態の低雑音増幅器に対する利得抑制やＮＦ劣化をさらに低減することができる。
【発明を実施するための最良の形態】
【００１２】
以下、本発明の実施の形態による通信装置としてマルチバンドの携帯電話に適用した場合を例に挙げて、添付図面を参照しつつ詳細に説明する。
【００１３】
まず、図１は発明の実施の形態による通信装置１を示し、該通信装置１は、後述の送信回路２、デュプレクサ９，１０、アンテナ１１、受信回路１２等によって構成されている。
【００１４】
送信回路２は、後述する第１，第２の送信信号変調回路３，６、第１，第２の電力増幅器４，７および第１，第２のアイソレータ５，８によって構成されている。
【００１５】
第１の送信信号変調回路３には、第１の電力増幅器４および第１のアイソレータ５が直列接続されている。そして、第１の送信信号変調回路３は、例えばＣＤＭＡ（Code Division Multiple Access）方式で８００ＭＨｚ帯の高周波信号を変調した第１の送信信号ＲＦt1を出力する。このとき、第１の電力増幅器４は、第１の送信信号ＲＦt1を電力増幅する。また、第１のアイソレータ５は、電力増幅された第１の送信信号ＲＦt1を第１のデュプレクサ９に向けて伝送し、逆方向の伝送を遮断する。
【００１６】
一方、第２の送信信号変調回路６には、第２の電力増幅器７および第２のアイソレータ８が直列接続されている。そして、第２の送信信号変調回路６は、ＣＤＭＡ方式で第１の送信信号ＲＦt1とは異なる周波数帯として例えば２ＧＨｚ帯の高周波信号を変調した第２の送信信号ＲＦt2を出力する。このとき、第２の電力増幅器７は、第２の送信信号ＲＦt2を電力増幅する。また、第２のアイソレータ８は、電力増幅された第２の送信信号ＲＦt2を第２のデュプレクサ１０に向けて伝送し、逆方向の伝送を遮断する。
【００１７】
第１，第２のデュプレクサ９，１０は、図１に示すように、送信回路２の出力側と受信回路１２の入力側とに接続されると共に、アンテナ１１に接続されている。ここで、第１のデュプレクサ９は、例えば２つのフィルタ回路９Ａ，９Ｂによって構成されている。そして、フィルタ回路９Ａは、送信信号ＲＦt1と受信信号ＲＦr1との周波数が互いに異なる（例えば、ＲＦt1＜ＲＦr1）ことを利用して、送信信号ＲＦt1だけを通過させる。一方、フィルタ回路９Ｂは、受信信号ＲＦr1だけを通過させる。
【００１８】
また、第２のデュプレクサ１０は、例えば２つのフィルタ回路１０Ａ，１０Ｂによって構成されている。そして、フィルタ回路１０Ａは、送信信号ＲＦt2と受信信号ＲＦr2との周波数が互いに異なる（例えば、ＲＦt2＜ＲＦr2）ことを利用して、送信信号ＲＦt2だけを通過させる。一方、フィルタ回路１０Ｂは、受信信号ＲＦr2だけを通過させる。
【００１９】
これにより、デュプレクサ９，１０は、フィルタ回路９Ａ，１０Ａを用いて送信回路２から出力された送信信号ＲＦt1，ＲＦt2をアンテナ１１に向けて出力する。また、デュプレクサ９，１０は、フィルタ回路９Ｂ，１０Ｂを用いてアンテナ１１から受信した受信信号ＲＦr1，ＲＦr2を受信回路１２に向けて出力する。
【００２０】
アンテナ１１は、デュプレクサ９，１０に接続されている。そして、アンテナ１１は、互いに周波数帯域が異なる第１，第２の送信信号ＲＦt1，ＲＦt2を外部に向けて送信すると共に、互いに周波数帯域が異なる第１，第２の受信信号ＲＦr1，ＲＦr2を受信する。
【００２１】
受信回路１２は、後述する第１，第２の低雑音増幅器１３，１５、第１，第２の受信信号復調回路１４，１６等によって構成されている。
【００２２】
第１の低雑音増幅器１３は、第１のデュプレクサ９と第１の受信信号復調回路１４との間に接続されている。このとき、第１の低雑音増幅器１３の入力側は、後述の入力側整合回路１７を介して第１のデュプレクサ９のフィルタ回路９Ｂに接続されている。また、第１の低雑音増幅器１３の出力側は、後述の出力側整合回路１９を介して第１の受信信号復調回路１４に接続されている。そして、第１の低雑音増幅器１３は、アンテナ１１から受信したＣＤＭＡ方式で変調された８００ＭＨｚ帯の第１の受信信号ＲＦr1に対して低雑音の増幅を行う。また、第１の受信信号復調回路１４は、例えば受信帯域以外の信号を遮断するフィルタやミキサ等を含んで構成され、第１の低雑音増幅器１３から出力された受信信号ＲＦr1に対してダウンコンバート、複号等の処理を行う。
【００２３】
一方、第２の低雑音増幅器１５は、例えば第１の低雑音増幅器１３と同じ部品に内蔵され、第２のデュプレクサ１０と第２の受信信号復調回路１６との間に接続されている。このとき、第２の低雑音増幅器１５の入力側は、後述の入力側整合回路１８を介して第２のデュプレクサ１０のフィルタ回路１０Ｂに接続されている。また、第２の低雑音増幅器１５の出力側は、後述の出力側整合回路２０を介して第２の受信信号復調回路１６に接続されている。そして、第２の低雑音増幅器１５は、アンテナ１１から受信したＣＤＭＡ方式で変調された２ＧＨｚ帯の第２の受信信号ＲＦr2に対して低雑音の増幅を行う。また、第２の受信信号復調回路１６は、第１の受信信号復調回路１４と同様に、フィルタ、ミキサ等を含んで構成され、第２の低雑音増幅器１５から出力された受信信号ＲＦr2に対してダウンコンバート、複号等の処理を行う。
【００２４】
第１の入力側整合回路１７は、第１のデュプレクサ９と第１の低雑音増幅器１３との間に接続して設けられている。また、入力側整合回路１７は、例えばＴ型フィルタ、π型フィルタ等を用いた集中定数回路または誘導性スタブ、容量性スタブ等を用いた分布定数回路によって構成され、受信信号ＲＦr1，ＲＦr2に応じて低雑音増幅器１３の入力インピーダンスＺ11を変化させる。即ち、入力側整合回路１７は、図２および図３に示すように、第１の受信信号ＲＦr1に対して、インピーダンスＺ11がスミスチャート上の規格化インピーダンスＺ0（例えば５０Ω）位置付近となり、アンテナ１１側の回路（デュプレクサ９）と低雑音増幅器１３との間を整合させる。また、入力側整合回路１７は、第２の受信信号ＲＦr2に対して、インピーダンスＺ11がスミスチャート上の短絡位置または開放位置付近にくる構成となっている。
【００２５】
第２の入力側整合回路１８は、第２のデュプレクサ１０と第２の低雑音増幅器１５との間に接続して設けられている。そして、入力側整合回路１８は、入力側整合回路１７とほぼ同様な回路によって構成され、受信信号ＲＦr1，ＲＦr2に応じて低雑音増幅器１５の入力インピーダンスＺ11′を変化させる。但し、入力側整合回路１８は、入力側整合回路１７と異なり、図２および図４に示すように、第２の受信信号ＲＦr2に対して、インピーダンスＺ11′がスミスチャート上の規格化インピーダンスＺ0位置付近となり、アンテナ１１側の回路（デュプレクサ１０）と低雑音増幅器１５との間を整合させる。また、入力側整合回路１８は、第１の受信信号ＲＦr1に対して、インピーダンスＺ11′がスミスチャート上の短絡位置または開放位置付近にくる構成となっている。
【００２６】
第１の出力側整合回路１９は、第１の低雑音増幅器１３と第１の受信信号復調回路１４との間に接続して設けられている。そして、出力側整合回路１９は、第１の入力側整合回路１７とほぼ同様に構成され、受信信号ＲＦr1，ＲＦr2に応じて低雑音増幅器１３の出力インピーダンスＺ22を変化させる。このため、出力側整合回路１９は、図３に示すように、第１の受信信号ＲＦr1に対して、インピーダンスＺ22が規格化インピーダンスＺ0位置付近となり、低雑音増幅器１３と受信信号復調回路１４との間を整合させる。また、出力側整合回路１９は、第２の受信信号ＲＦr2に対して、インピーダンスＺ22がスミスチャート上の短絡位置または開放位置付近にくる構成となっている。
【００２７】
第２の出力側整合回路２０は、第２の低雑音増幅器１５と第２の受信信号復調回路１６との間に接続して設けられている。そして、出力側整合回路２０は、第２の入力側整合回路１８とほぼ同様に構成され、受信信号ＲＦr1，ＲＦr2に応じて低雑音増幅器１５の出力インピーダンスＺ22′を変化させる。このため、出力側整合回路２０は、図４に示すように、第２の受信信号ＲＦr2に対して、インピーダンスＺ22′が規格化インピーダンスＺ0位置付近となり、低雑音増幅器１５と受信信号復調回路１６との間に整合させる。また、出力側整合回路２０は、第１の受信信号ＲＦr1に対して、インピーダンスＺ22′がスミスチャート上の短絡位置または開放位置付近にくる構成となっている。
【００２８】
本実施の形態による通信装置１は上述の如き構成を有するもので、次にその作動について説明する。
【００２９】
まず、通信装置１の送信時には、例えば第１の送信信号変調回路３はベースバンド信号に基づいて高周波の送信信号ＲＦt1を変調し、この送信信号ＲＦt1を出力する。このとき、電力増幅器４は送信信号ＲＦt1を増幅し、アイソレータ５を介してデュプレクサ９に向けて出力する。これにより、電力増幅後の送信信号ＲＦt1は、デュプレクサ９を介してアンテナ１１に供給され、アンテナ１１から外部に向けて送信される。
【００３０】
同様に、第２の送信信号変調回路６が送信信号ＲＦt2を出力したときには、電力増幅器７は送信信号ＲＦt2を増幅し、アイソレータ８を介してデュプレクサ１０に向けて出力する。これにより、電力増幅後の送信信号ＲＦt2は、デュプレクサ１０、アンテナ１１を介して外部に向けて送信される。
【００３１】
一方、通信装置１の受信時には、例えばアンテナ１１から受信した受信信号ＲＦr1は、デュプレクサ９を介して低雑音増幅器１３に入力される。このとき、低雑音増幅器１３は、受信信号ＲＦr1に対して低雑音の増幅を行い、受信信号復調回路１４に向けて出力する。これにより、受信信号復調回路１４は、増幅後の受信信号ＲＦr1を中間周波信号にダウンコンバートした後に、ベースバンド信号に複号する。
【００３２】
同様に、アンテナ１１から受信信号ＲＦr2を受信したときには、受信信号ＲＦr2は、デュプレクサ１０を介して低雑音増幅器１５に入力される。このとき、低雑音増幅器１５は、受信信号ＲＦr2に対して低雑音の増幅を行い、受信信号復調回路１６に向けて出力する。これにより、受信信号復調回路１６は、増幅後の受信信号ＲＦr2を中間周波信号にダウンコンバートした後に、ベースバンド信号に複号する。
【００３３】
然るに、第１，第２の低雑音増幅器１３，１５は一般に同一の部品に内蔵されるから、互いに近接した状態で配置される。このため、第１，第２の低雑音増幅器１３，１５間のアイソレーションが確保し難い傾向がある。
【００３４】
これに対し、本実施の形態では、第１，第２の低雑音増幅器１３，１５の入力側には入力側整合回路１７，１８を設けると共に、第１，第２の低雑音増幅器１３，１５の出力側には出力側整合回路１９，２０を設ける構成とした。そして、整合回路１７，１９は、低雑音増幅器１３が増幅する周波数帯域の受信信号ＲＦr1に対してはインピーダンスＺ11，Ｚ22がスミスチャート上の規格化インピーダンスＺ0位置付近となり、他の周波数帯域の受信信号ＲＦr2に対してはインピーダンスＺ11，Ｚ22がスミスチャート上の短絡位置または開放位置付近にくる。一方、整合回路１８，２０は、低雑音増幅器１５が増幅する周波数帯域の受信信号ＲＦr2に対してはインピーダンスＺ11′，Ｚ22′がスミスチャート上の規格化インピーダンスＺ0位置付近となり、他の周波数帯域の受信信号ＲＦr1に対してはインピーダンスＺ11′，Ｚ22′がスミスチャート上の短絡位置または開放位置付近にくる。
【００３５】
このため、第１の低雑音増幅器１３の動作時には、低雑音増幅器１３は整合回路１７，１９を通じて例えばアンテナ１１（デュプレクサ９）や受信信号復調回路１４に接続される。このとき、低雑音増幅器１３は、低雑音増幅器１５の動作周波数帯域（２ＧＨｚ帯）に対してのインピーダンスが短絡または開放に見えているため、低雑音増幅器１５に対するアイソレーションが確保された状態となる。
【００３６】
また、第２の低雑音増幅器１５の動作時には、低雑音増幅器１５は整合回路１８，２０を通じて例えばアンテナ１１（デュプレクサ１０）や受信信号復調回路１６に接続される。このとき、低雑音増幅器１５は、低雑音増幅器１３の動作周波数帯域（８００ＭＨｚ帯）に対してのインピーダンスが短絡または開放に見えているため、低雑音増幅器１３に対するアイソレーションが確保された状態となる。
【００３７】
これにより、動作状態の低雑音増幅器１３と非動作状態の低雑音増幅器１５との間のアイソレーションを確保することができると共に、動作状態の低雑音増幅器１５と非動作状態の低雑音増幅器１３との間のアイソレーションを確保することができる。この結果、非動作状態の低雑音増幅器１３，１５に接続された負荷（例えば、デュプレクサ９，１０や受信信号復調回路１４，１６の負荷）が変動したときでも、この負荷変動が動作状態の低雑音増幅器１５，１３に与える影響を軽減することができるから、動作状態の低雑音増幅器１５，１３に対する利得抑制やＮＦ劣化を低減することができる。
【００３８】
次に、図５および図６は本発明の第２の実施の形態による通信装置を示している。そして、本実施の形態の特徴は、低雑音増幅器と整合回路との間は差動線路を用いて接続する構成としたことにある。なお、本実施の形態では、前記第１の実施の形態と同一の構成要素に同一の符号を付し、その説明を省略するものとする。
【００３９】
まず、図５は発明の実施の形態による通信装置２１を示し、該通信装置２１は、第１の実施の形態による通信装置１とほぼ同様に、送信回路２、デュプレクサ９，１０、アンテナ１１、受信回路２２等によって構成されている。
【００４０】
但し、受信回路２２の第１，第２の低雑音増幅器２３，２４は、互いに１８０°位相が異なる信号（＋信号、−信号）を伝送する２本の線路からなる差動線路Ａを用いてデュプレクサ９，１０および第１，第２の受信信号復調回路１４，１６に接続されている。
【００４１】
そして、第１の低雑音増幅器２３は、アンテナ１１から受信したＣＤＭＡ方式で変調された８００ＭＨｚ帯の第１の受信信号ＲＦr1に対して低雑音の増幅を行う。一方、第２の低雑音増幅器２４は、アンテナ１１から受信したＣＤＭＡ方式で変調された２ＧＨｚ帯の第２の受信信号ＲＦr2に対して低雑音の増幅を行う。
【００４２】
また、第１，第２の低雑音増幅器２３，２４の入力側には、第１の実施の形態による入力側整合回路１７，１８とほぼ同様な第１，第２の入力側整合回路２５，２６が接続されている。さらに、第１，第２の低雑音増幅器２３，２４の出力側には、第１の実施の形態による出力側整合回路１９，２０とほぼ同様な第１，第２の出力側整合回路２７，２８が接続されている。
【００４３】
そして、整合回路２５，２７は、第１の受信信号ＲＦr1に対して、インピーダンスＺ11，Ｚ22がスミスチャート上の規格化インピーダンスＺ0位置付近となって、低雑音増幅器２３とアンテナ１１側の回路（デュプレクサ９）、受信信号復調回路１４との間を整合させる。また、整合回路２５，２７は、第２の受信信号ＲＦr2に対して、インピーダンスＺ11，Ｚ22がスミスチャート上の短絡位置または開放位置付近にくる構成となっている。
【００４４】
一方、整合回路２６，２８は、第２の受信信号ＲＦr2に対して、インピーダンスＺ11′，Ｚ22′がスミスチャート上の規格化インピーダンスＺ0位置付近となって、低雑音増幅器２４とアンテナ１１側の回路（デュプレクサ１０）、受信信号復調回路１６との間を整合させる。また、整合回路２６，２８は、第２の受信信号ＲＦr2に対して、インピーダンスＺ11′，Ｚ22′がスミスチャート上の短絡位置または開放位置付近にくる構成となっている。
【００４５】
かくして、本実施の形態でも第１の実施の形態と同様の作用効果を得ることができる。特に、本実施の形態では、低雑音増幅器２３，２４と整合回路２５〜２８との間は差動線路Ａを用いて接続する構成とした。このため、外部から線路へのノイズの影響を少なくすることができ、隣合う低雑音増幅器２３，２４間のクロストークノイズを低減することができる。この結果、動作状態の低雑音増幅器に対する利得抑制やＮＦ劣化をさらに低減することができる。
【００４６】
なお、前記各実施の形態では、低雑音増幅器１３，１５，２３，２４の入力側に入力側整合回路１７，１８，２５，２６を接続し、低雑音増幅器１３，１５，２３，２４の出力側に出力側整合回路１９，２０，２７，２８を接続する構成とした。しかし、本発明はこれに限らず、例えば入力側整合回路および出力側整合回路のうちいずれか一方のみ低雑音増幅器に接続し、他方を省く構成としてもよい。
【００４７】
さらに、前記各実施の形態では、整合回路１７，１９，２５，２７は第２の受信信号ＲＦr2に対してインピーダンスＺ11，Ｚ22が短絡または開放する構成とした。しかし、本発明はこれに限らず、整合回路１７，１９，２５，２７は第１の受信信号ＲＦr1に対するインピーダンスＺ11，Ｚ22に比べて、第２の受信信号ＲＦr2に対してインピーダンスＺ11，Ｚ22が短絡位置または開放位置に近付いて、仕様に応じた所望のアイソレーション（例えば、５〜２０ｄＢ以上）が確保できればよい。このため、第２の受信信号ＲＦr2に対してインピーダンスＺ11，Ｚ22は、正確に短絡位置または開放位置に一致する必要はない。
【００４８】
同様に、整合回路１８，２０，２６，２８も第１の受信信号ＲＦr1に対してインピーダンスＺ11′，Ｚ22′が正確に短絡位置または開放位置に一致する必要はなく、第２の受信信号ＲＦr2に対するインピーダンスＺ11′，Ｚ22′に比べて、第１の受信信号ＲＦr1に対してインピーダンスＺ11′，Ｚ22′が短絡位置または開放位置に近付いて、所望のアイソレーションが確保できればよい。
【００４９】
また、前記各実施の形態では、２つの周波数帯の送信信号ＲＦt1，ＲＦt2、受信信号ＲＦr1，ＲＦr2を送信、受信する通信装置１，２１に適用した場合を例に挙げて説明したが、３つ以上の周波数帯の送信信号、受信信号を送信、受信する通信装置に適用する構成としてもよい。
【００５０】
また、前記各実施の形態では、通信装置１，２１としてＣＤＭＡ方式で信号を変調、復調する携帯電話に適用した場合を例に挙げて説明したが、他の方式で信号を変調、復調する携帯電話に適用してもよい。さらに、通信装置としては、携帯電話に限らず、複数の周波数帯の高周波信号を送信、受信する携帯端末等に適用してもよい。
【図面の簡単な説明】
【００５１】
【図１】本発明の第１の実施の形態による通信装置を示すブロック図である。
【図２】図１中の受信回路を示すブロック図である。
【図３】図１中の第１の入力側整合回路のインピーダンスを示すスミスチャートである。
【図４】図１中の第２の入力側整合回路のインピーダンスを示すスミスチャートである。
【図５】第２の実施の形態による通信装置を示すブロック図である。
【図６】図５中の受信回路を示すブロック図である。
【符号の説明】
【００５２】
１，２１  通信装置
９，１０  デュプレクサ
１１  アンテナ
１３，１５，２３，２４  低雑音増幅器
１７，１８，２５，２６  入力側整合回路
１９，２０，２７，２８  出力側整合回路
Ａ  差動線路
【図１】
2009060511.tif 000003
【図２】
2009060511.tif 000004
【図３】
2009060511.tif 000005
【図４】
2009060511.tif 000006
【図５】
2009060511.tif 000007
【図６】
2009060511.tif 000008